(57)【要約】【課題】ＬＥＤランプ筐体形状に影響されずにＬＥＤランプを装着することができ、白熱電球を誤って取り付けても点灯させず、あるいは即座に消灯させ、過熱による破損を防ぐ機能を有するＬＥＤ専用灯具を提供する。【解決手段】ＬＥＤランプが取り付けられる灯具において、所定温度を超えると、電流を遮断する、正の温度係数を有する自己復帰型の電流遮断素子が、前記灯具に熱的に接合するように配置され、白熱電球を誤装着し点灯させても、白熱電球のフィラメントで発生する熱を感知して、前記電流遮断素子が作動し、白熱電球を消灯させる。【選択図】図３
2013229138.tif 000002
【特許請求の範囲】
【請求項１】
ＬＥＤランプが取り付けられる灯具において、
所定温度を超えると、電流を遮断する電流遮断素子が、
前記灯具に、熱的に接合して配置されていることを特徴とするＬＥＤランプ専用灯具
【請求項２】
前記電流遮断素子が、
自己復帰型温度ヒューズであることを特徴とした請求項１に記載のＬＥＤランプ専用灯具
【請求項３】
前記電流遮断素子が、
前記灯具の外部電源入力端子と、
前記灯具のソケットとの間に、
配置されていることを特徴とした請求項１または２に記載のＬＥＤランプ専用灯具
【請求項４】
前記電流遮断素子が、
前記灯具のソケットと係合する係合部と、
前記ＬＥＤランプの口金と係合する係合部とを有し、
電気的に前記ソケットと、前記ＬＥＤランプとを接続する、
連結部材の内部に配置されていることを特徴とした請求項１または２に記載のＬＥＤランプ専用灯具
【請求項５】
前記電流遮断素子が、
筐体の中に配置され、
前記筐体が、前記灯具または前記連結部材との間で、
着脱自在であることを特徴とした請求項１から４のいずれかに記載のＬＥＤランプ専用灯具
【発明の詳細な説明】
【技術分野】
【０００１】
本発明は、ＬＥＤランプが取り付けられる灯具に関し、特に白熱電球が装着されたときの、灯具の故障防止に関するものである。
【背景技術】
【０００２】
近年、環境意識の高まりから、省電力化に優れたＬＥＤ素子を光源に使用した、電源内蔵型のＬＥＤ電球が盛んに用いられるようになってきており、前記ＬＥＤ電球が取り付けられる専用の灯具も開発されてきている。
通常このようなＬＥＤ電球は、白熱電球よりも発熱量が小さいので、ＬＥＤランプ専用灯具に使用される部材の最大定格温度は、従来の灯具の最大定格温度よりも低いものが使用されている。そのため、このようなＬＥＤランプ専用灯具に、白熱電球が取り付けられると、白熱電球のフィラメントで発生した熱によって、耐熱性の低い部材が破損してしまう虞がある。
【０００３】
そこでこのような問題を解決するために特許文献１のＬＥＤランプ専用灯具等のソケットは、少なくとも感熱動作を行うバイメタルディスクの固定端部が金属製外郭に直接且つ一体化されて保持固定されたサーマルプロテクターの金属製外郭を、中心電極を延長して拡幅した基板部または受け金の一部に設けた平坦化に直接加圧接触させ、面接触による流入熱抵抗の最小化を図ると共に他の電気接続点間を線または点接触として流出熱抵抗の最大化を図り、同時に電気回路を構成して成ることを特徴とするものである。
【０００４】
また特許文献２のＬＥＤランプ専用灯具は、ＬＥＤが実装された基板と、この基板と熱的に結合されるとともに外面に露出した熱伝導部材と、前記ＬＥＤと電気的に接続され一端側に設けられた口金とを備えたＬＥＤランプと、ＬＥＤランプの口金が装着されるソケットと、一般の白熱電球のソケットへの装着を防止するとともにＬＥＤランプがソケットに装着されたとき、前記熱伝導部材に熱的に結合される熱伝導性を有する誤装着防止手段とを備えた器具本体とを具備することを特徴とするものである。
【０００５】
また特許文献３の電球型ランプは、光源と、交流または直流の電源により前記光源を点灯する点灯回路と、前記点灯回路に前記電源からの電力を供給する口金部とを備えた電球型ランプであって、前記ランプの過度の温度上昇を感知して前記点灯回路への電力供給を一時的に停止させる自己復帰型温度ヒューズを内蔵していることを特徴とするものである。
【先行技術文献】
【特許文献】
【０００６】
【特許文献１】特開２０１１−２０４６５８
【特許文献２】特開２０１１−１８７１８８
【特許文献３】特開２０１２−０２２８９２
【発明の概要】
【発明が解決しようとする課題】
【０００７】
しかしながら、特許文献１に記載されている低温用ねじ込み式ランプソケットにおいては、電流遮断部材が、線または点接触によって流出熱抵抗の最大化を図り、同時に電気回路を構成しているため、接点部を流れる電流に対して接触電気抵抗が増大し電圧降下が発生したり、接点部分が過熱し、付着した塵埃が発火したりする虞がある。
またバイメタルを内蔵した金属ケース製のサーマルプロテクターと速結端子群をオフセット配置してソケット外形形状の膨大化を防いでいるものの、ソケットの小型化には不利である。
【０００８】
また特許文献２に記載されている誤装着防止手段を備えたＬＥＤランプ専用灯具においては、その誤装着防止手段に合せてＬＥＤランプの筐体形状が設計されるため、取り付けられるＬＥＤランプが限定され、白熱電球に類似した外形を有するＬＥＤランプは取り付けられない。
【０００９】
また特許文献３に記載されている自己復帰型温度ヒューズを内蔵している電球型ランプにおいては、ランプ自体が故障することは防げるものの、灯具に白熱電球を装着した場合の灯具側の故障に対しては何ら考慮されていない。
【００１０】
本発明は、以上のような課題を解決するため鋭意検討した結果なされたものであり、ＬＥＤランプ筐体形状に影響されずにＬＥＤランプを装着することができ、白熱電球を誤って取り付けても点灯させず、あるいは即座に消灯させ、過熱による破損を防止する機能を有するＬＥＤ専用灯具の提供を目的とする。
【課題を解決するための手段】
【００１１】
請求項１に記載の発明にあたっては、ＬＥＤランプが取り付けられる灯具において、
所定温度を超えると、電流を遮断する電流遮断素子が、前記灯具の電気回路上に配置されていることを特徴とするものである。
【００１２】
請求項２に記載の発明にあたっては、前記電流遮断素子が、前記灯具の外部電源入力端子と、前記灯具のソケットとの間に、配置されていることを特徴とするものである。
【００１３】
請求項３に記載の発明にあたっては、前記電流遮断素子が、前記灯具のソケットと係合する係合部と、前記ＬＥＤランプの口金と係合する係合部とを有し、電気的に前記灯具と、前記ＬＥＤランプとを接続する、連結部材の内部に配置されていることを特徴とするものである。
【００１４】
請求項４に記載の発明にあたっては、前記電流遮断素子が、自己復帰型ヒューズであることを特徴とするものである。
【００１５】
請求項５に記載の発明にあたっては、前記電流遮断素子が、筐体の中に配置され、前記筐体が、前記灯具または前記連結部材との間で、着脱自在であることを特徴とするものである。
【発明の効果】
【００１６】
本発明のＬＥＤランプ専用灯具に白熱電球を装着すると、前記白熱電球のフィラメントで発生する熱によって、灯具側に配置した電流遮断素子が電流を遮断し、前記白熱電球が消灯する。これによって、白熱電球を誤装着したことに気づき、またＬＥＤランプ専用灯具が破損することもなくなる。
また請求項３の発明によれば、既に市販されているＬＥＤランプ専用灯具に、後付で電流遮断素子を設置することができ、灯具の破損を防ぐことができる。
また請求項４の発明によれば、白熱電球を取り外し、電流遮断素子の温度が下がると自己復帰し、再度電流を通すようになるので、電流遮断素子の交換の手間が無くＬＥＤランプを点灯させることができる。
また請求項５の発明によれば、電流遮断素子が着脱自在な筐体の中に配置されているので、熱によって熔融した電流遮断素子が交換しやすい構造となっている。
【図面の簡単な説明】
【００１７】
【図１】本実施形態１に係わるＬＥＤランプ専用灯具の外観図
【図２】本実施形態１に係わるＬＥＤランプ専用灯具のブロック回路図
【図３】本実施形態１に係わるＬＥＤランプ専用灯具に電球が取り付けられた断面図
【図４】本実施形態２に係わるＬＥＤランプ専用灯具のブロック回路図
【図５】本実施形態２に係わるＬＥＤランプ専用灯具に電球が取り付けられた断面図
【発明を実施するための形態】
【００１８】
本発明のＬＥＤランプ専用灯具には、外部電源を入力する電源端子から電球口金の間の電気回路上に、温度上昇を検知して電球口金への電流供給を一時的に遮断する自己復帰型温度ヒューズが配置されている。
以下に二つの実施形態について、図面を参照しながら説明する。なお本実施形態は一例であり、これに限定されるものではない。図１は本実施形態１のＬＥＤランプ専用灯具の外観図、図２は本実施形態１のＬＥＤランプ専用灯具のブロック回路図、図３は本実施形態１のＬＥＤランプ専用灯具に電球が取り付けられた断面図である。図４は本実施形態２のブロック回路図、図５は本実施形態２のＬＥＤランプ専用灯具に電球が取り付けられた断面図である。
【００１９】
（実施形態１）
本実施形態１に係わるＬＥＤランプ専用灯具は、Ｅ１７口金やＥ２６口金を有する電源内蔵のＬＥＤランプ２０を取り付けるためのダウンライト器具１０であり、図１から図３に示したように交流電源１を供給する配線を結線する電源入力端２を備えた電源端子台３、自己復帰型温度ヒューズ４が内蔵されたヒューズ筐体５、ソケット６とを具備している。
【００２０】
ヒューズ筐体５には、ポリマー系の正の温度係数を持つ自己復帰型ヒューズであるポリスイッチ（商品名）４が内蔵されており、電源入力端２の一端とソケット６への配線の間に接続され、前記ヒューズ筐体５は、電源端子台３とソケット６との間に設置されている。
【００２１】
前記ダウンライト器具１０に白熱電球２０が取り付けられると、フィラメントで発生した熱によって、前記ポリスイッチ４の温度が上昇し、ある一定の温度閾値を越えると、その電気抵抗値が１０の４乗から６乗に達する。それによって、ソケット６への電流供給が極微量となり、フィラメントでの発光、発熱も無くなり、前記ダウンライト器具１０の破損が防止される。また白熱電球２０の誤装着にも気づき、ＬＥＤランプ２１が取り付けられる。
またＬＥＤランプ２１が取り付けられ点灯したときには、前記ポリスイッチ４の温度が上昇しても、その加熱温度以下の閾値温度を有するポリスイッチ４が選択されているので、前記ＬＥＤランプ２１は継続点灯している。
【００２２】
（実施形態２）
本実施形態２は、電流遮断部材を備えていないＬＥＤ専用灯具であるダウンライト器具１１の破損防止のために、ダウンライト器具１１と白熱電球２０またはＬＥＤランプ２１との間に、連結部材７が取り付けられるものであり、図４、図５に示したように、前記連結部材７の内部に実施形態１のポリスイッチ４が配置されている。
【００２３】
この連結部材７には、ダウンライト器具１１のソケット６と螺合するソケット螺合部７１と、ＬＥＤランプ２１の口金と螺合する口金螺合部７２とが形成されており、前記ダウンライト器具１１に着脱自在に取り付けられる。
電流遮断部材を備えていないダウンライト器具１１に、この連結部材７を取り付けることによって、白熱電球２０が誤装着されても、即座に白熱電球２０は消灯し、誤装着に気づくとともにダウンライト器具１１の破損が防止される。
【００２４】
（実施形態３）
本実施形態３は、前記ポリスイッチ４の代わりに、自己復帰しない温度ヒューズを使用したものである。図示していない嵌合構造を形成した前記ダウンライト器具１０または前記連結部材７と、前記嵌合構造に嵌め込める着脱自在のヒューズ筐体５とからなる。
白熱電球２０が誤装着、点灯され、フィラメントの熱で前記温度ヒューズが熔融し、白熱電球２０への電流供給が遮断され消灯する。これによって誤装着に気づき、ダウンライト器具の破損も防止される。その後、簡単に前記温度ヒューズを交換することができ、ＬＥＤランプ２１を装着し、点灯することができるものである。
【００２５】
なお、本実施形態では、ポリスイッチをダウンライト器具に使用したが、これに限定されず照明器具一般に適用することができる。
【符号の説明】
【００２６】
１：交流電源
２：電源入力端
３：電源端子台
４：自己復帰型ヒューズ（ポリスイッチ）
５：ヒューズ筐体
６：ソケット
７：連結部材、７１：ソケット螺合部、７２：口金螺合部
１０：ポリスイッチが設置されたダウンライト器具
１１：ポリスイッチが設置されていないダウンライト器具
２０：白熱電球
２１：ＬＥＤランプ
【図１】
2013229138.tif 000003
【図２】
2013229138.tif 000004
【図３】
2013229138.tif 000005
【図４】
2013229138.tif 000006
【図５】
2013229138.tif 000007